(57)【要約】【課題】  既成のベッド側面柵に簡単に着脱でき、ベビーベッド上に寝ている幼児が侵害を受けることなく安眠できるための硬い素材で製作された保護板を提供する。【解決手段】  ベッド側面柵を構成する各々の柵の両脇となる場所の上部及び下部に複数取り付け穴を保護板に設置したので、インシュロックやひも、着脱自在な取り付け金物等にて既成のベッド側面柵に不要な空間をあけることなく硬い素材で製作された保護板の着脱が容易にできる。【選択図】図１
2005261812.tif 000002
【特許請求の範囲】
【請求項１】
柵付ベッドの側面柵の全体を覆うように側面柵に取り付けられたベッド用保護板。
【請求項２】
前記保護板の全体あるいは一部が透明な素材で形成されており、請求項第１記載のベッド用保護板。
【請求項３】
前記保護板に空気の取り込みを可能とする複数の小孔を設けた請求項第１または第２記載のベッド用保護板。
【発明の詳細な説明】
【技術分野】
【０００１】
この発明はベッド側面柵に固定され、または、設けられベッド上の幼児を保護するための保護板に関する。
【背景技術】
【０００２】
従来、ベビーベッド上の幼児の安全を確保するために防虫網または布を用いた保護網または保護布が活用されている。
【０００３】
これらは、ベビーベッドの側面柵に保護網または保護布を取り付けたものである。
【発明の開示】
【発明が解決しようとする課題】
【０００４】
しかしながら、従来の保護網、保護布では以下の問題があった。
保護網の場合、ベビーベッドに寝ていない他の幼児が側面柵に手足をかけ保護網を踏んだままでベビーベッドの中に入ろうとする。または、側面柵と保護網の間から手を入れベビーベッド上の幼児の手足をひっぱたりしていた。
【０００５】
保護布の場合も、同様であるが、さらに母親からの視野が遮られるためにベビーベッド上の幼児がいかなる姿勢で寝ているのかが分からず、度々、ベビーベッドの近辺まで幼児の様子を確認にくる必要があった。また、保護布を側面柵の４面ともに配置すれば、ベビーベッド上の幼児にとって酸素の流通が不足気味になることが懸念された。
【０００６】
そこで、この発明は構造が簡単かつ低コストで、既成のベッド側面柵に簡単に装着でき、ベビーベッド上に寝ている幼児が侵害を受けることなく安眠できるための硬い素材で製作されたベッド用保護板を提供することを目的としている。
また、この発明は、ベッド側面柵の内外両側から目視できる視野を増大させるベッド用保護板を提供することを目的としている。
さらに、この発明は、ベッド側面柵の全面に保護板を設置したときに懸念されるベッド上の幼児にとって酸素の流通が不足気味になることを解消するベッド用保護板を提供することを目的としている。
【課題を解決するための手段】
【０００７】
請求項１に記載の発明は、柵付ベッドの側面柵の全体を覆うように側面柵に取り付けられたベッド用保護板である。
【０００８】
請求項１に記載の発明によれば、ベッド用保護板の着脱を容易に可能にするため、ベッド側面柵を構成する各々の柵の両脇となる場所の上部及び下部に複数取り付け穴をベッド用保護板に設置している。このベッド用保護板に設置された取り付け穴によりインシュロックやひも、着脱自在な取り付け金物等にて硬い素材で製作されたベッド用保護板を既成の保護柵側面に不要な空間をあけることなく容易に設置できる。これによって、ベビーベッド上に寝ている幼児が十分に安眠できる。これは、ベビーベッドに寝ていない他の幼児が側面柵に手足をかけ保護網を踏んだままでベビーベッドの中に入ろうとしたり、側面柵の保護網の間から手を入れベビーベッド上の幼児の手足をひっぱたりする事を防止するだけではなく、ベビーベッド上におもちゃ等の小物の搬入を防ぎ、逆にベビーベッド上においた小物の落下防止になり、さらに、ベビーベッド上の幼児の手足が寝返り等でベッド柵に挟まってしまうことの防止策にもなる。
【０００９】
側面柵の素材は限定されない。例えば、各種の合成樹脂、各種の金属、各種の木材、各種のセラミックスなどを採用することができる。
側面柵の形状は限定されない。例えば、長方形、楕円形、円、多角形などを採用することができる。
側面柵の大きさも限定されない。
ベッドの構造は限定されない。例えば、各種ベビーベッド、各種柵付のベッドなどを採用することができる。要は、ベッド用保護板を取り付けるスペースのあるベッドであればよい。
【００１０】
ベッド用保護板の素材は限定されない。例えば、各種の合成樹脂、各種の金属、各種の木材、各種のセラミックスなどを採用することができる。
ベッド用保護板の形状は限定されない。例えば、長方形、楕円形、円、多角形などを採用することができる。ただし、側面柵の略全面を覆うこととする。
ベッド用保護板の構造及び大きさは、装着されるベッドの柵部形状、大きさにおいて適宜変更される。例えば、側面柵に２段に分けて取り付けても良い。また、側面柵の上部に取り付けなくても良い。さらに、分割された板でも良い。
ベッド用保護板にベッド上の幼児が安眠できるための匂いのする塗料を塗布しても良い。また、ベッド用保護板はベッド上の幼児にとって日除けになるようにマジックミラーを使用しても良い。さらに、ベッド用保護板はベッド上の幼児が届かない位置に小物入れ用の容器を取り付け可能であっても良い。またさらに、ベッド用保護板はベッド上の幼児が安眠できるような音楽や音を流せるようなスピーカーを取り付け可能であっても良い。さらに別に、ベッド用保護板はベッド上の幼児に接触する面にベッド上の幼児の体を損傷しないような柔らかい素材で作られた物を取り付け可能であっても良い。
固定部材によるベッド用保護板の側面柵に対する固定形態は限定されない。例えば、接着、融着、溶接などを採用する事ができる。代表的にインシュロックやひも、または着脱自在な取り付け金物を使用し側面柵にベッド用保護板を取り付けても良い。ねじ、釘、接着剤などによる事も可能である。
固定部材の素材は限定されない。例えば、各種の合成樹脂、各種の金属、各種の木材、各種のセラミックスなどを採用することができる。
取り付け穴の形状は限定されない。例えば、長方形、楕円形、円、多角形などを採用することができる。要は、インシュロックやひも、着脱自在な取り付け金物を使用できる形状であれば良い。
取り付け穴の大きさも限定されない。例えば、インシュロックやひも、着脱自在な取り付け金物を使用できる大きさであれば良い。
【００１１】
請求項２に記載の発明は、前記保護板の全体あるいは一部が透明な素材で形成されており、請求項第１記載のベッド用保護板である。
【００１２】
請求項２に記載の発明によれば、ベッド用保護板の全体あるいは一部を透明な素材で形成するためベッド側面柵の内外両側から目視できる視野が増大する。これによって、ベビーベッド上の幼児からベッドの外部が容易に見渡すことができる。これは、幼児にとって興味ある周囲の情報を難なく獲得することとなる。また、母親からの視野が遮られる事なく、ベビーベッド上の幼児がいかなる姿勢で寝ているのかがベビーベッドの近辺まで幼児の様子を確認に来なくても離れた場所から分かるため、母親の心身面でも有効な活用が期待できる。さらに、強い光から幼児の視野を保護するために、ベッド用保護板はカラー透明の素材あるいは半透明の素材であっても良い。
【００１３】
請求項３に記載の発明は、保護板に空気の取り込みを可能とする複数の小孔を設けた請求項第１または第２記載のベッド用保護板である。
【００１４】
請求項３に記載の発明によれば、ベッド側面柵に取り付けたベッド用保護板にあらかじめ幼児の指が入らない程度の複数の小孔を設置しており、ベッド上の空気を流通させ易くしている。これによって、ベビーベッド上の幼児の酸素欠乏を防止し、また、熱のこもらない快適な状態を確保することができる。これは、ベッドの側面柵は一般に４方向に存在するためベッド用保護板を４面とも設置することができ、その時に懸念されるベッド上の幼児にとって酸素の流通が不足気味になることを解消している。さらに、ベッド用保護板にあらかじめ設置された複数の小孔は、ベッド上の幼児の指が小孔に入りにくくするためにベッド用保護板に対して垂直方向からだけではなく、垂直方向以外の斜めの角度を持って形成されても良いし、小孔の形状が円錐台であっても良い。
【発明の効果】
【００１５】
請求項１に記載の発明によれば、ベッド側面柵を構成する各々の柵の両脇となる場所の上部及び下部に複数取り付け穴をベッド用保護板に設置したので、インシュロックやひも、着脱自在な取り付け金物等にて既成のベッド側面柵に不要な空間をあけることなく硬い素材で製作されたベッド用保護板の着脱が容易にできる。また、ベッド用保護板を簡単に清掃することができ、埃やゴミを簡単に除去できるため、ベッド上の幼児に提供する空間を清潔に保つことができる。さらに、ベッド用保護板を設置したため、ベッド上の幼児に対し周囲の音を消音することができる。
【００１６】
請求項２に記載の発明によれば、ベッド用保護板の全体あるいは一部を透明な素材で形成したためベッド側面柵の内外両側から目視できる視野が増大した。そのため、ベビーベッド上の幼児はベッドの外部が容易に見渡すことができ、幼児にとって興味ある周囲の情報を難なく獲得できるようになった。また、母親からの視野が遮られる事なく、ベビーベッド上の幼児がいかなる姿勢で寝ているのかが離れた場所から分かるため、母親の心身面でも有効に活用される。
【００１７】
請求項３に記載の発明によれば、ベッド側面柵に取り付けたベッド用保護板に幼児の指が入らない程度の複数の小孔を設置しており、ベッド上の空気を流通させ易くしたので、ベビーベッド上の幼児の酸素欠乏を防止し、また、熱のこもらない快適な状態を確保することができる。
【発明を実施するための最良の形態】
【００１８】
以下、この発明の実施例を参照して説明する。ここでは、ベッド側面柵に固定された、また、着脱可能であるベッド上の幼児を保護するための硬い素材で製作されたベッド用保護板を例にとる。
【実施例１】
【００１９】
図１〜図８において、１０はこの発明の実施例１に係るベッド上の幼児を保護するための硬い素材で製作されたベッド用保護板つまり透明なアクリル板（横幅１１０ｃｍ、縦幅３１ｃｍ、厚み３ｍｍ）で、この透明なアクリル板１０は、透明なアクリル板１０に構成された取り付け穴１４と取り付け金物（インシュロックまたはＵ字ボルト）１５によって、ベッド本体１１に収納されたベッド側面柵１２の構成要素である各々の柵１３に着脱可能な取り付けができ、ベッド側面柵１２に対して不要な空間をあけることなく設置可能である。
【００２０】
まず、図１を参照し、ベッド本体１１を詳細に説明する。
ベッド本体１１は、板状部材であるベッド中敷き１７とこれを支える４本の支柱１６と４面のベッド側面柵１２により４角柱の枠を形成している。ベッド中敷き１７の上にベビーマット１８を敷き込み、幼児を寝かせつけるものである。ベッド側面柵１２の構成要素である各々の柵１３は、ベッド保護柵１２の補強、及びベッド上の幼児の落下防止となっている。ベッド側面柵１２の１面は幼児を寝かせつけるときに母親が作業し易いため、また、その動作時の安全のためにベッド側面柵上段１２ａ及びベッド側面柵下段１２ｂに分割している。
母親は幼児を寝かす時あるいは抱く時に、留め金２４をはずしベッド側面柵上段１２ａをベッド側面柵下段１２ｂの高さまで昇降する。
【００２１】
次に、図１〜図８を参照し、実施例１の透明なアクリル板を詳細に説明する。
図１及び図２に示す透明なアクリル板１０は、透明なアクリル板１０に構成された複数の取り付け穴１４と取り付け金物１５を介して柵１３に着脱可能な取り付けができ、ベッド側面柵１２全面に対して不要な空間をあけることなく設置可能である。
【００２２】
透明なアクリル板１０は、ベッド側面柵１２の柵内に納まる長方形型であり、柵１３の両側に設置する位置に取り付け穴１４を有する。その取り付け穴１４は柵１３の端１ｃｍ程度の位置に上下配置され、また、透明なアクリル板の両端にも配置されている。
【００２３】
この発明は、図１及び図２に示す透明なアクリル板１０に限定されない。例えば、透明なアクリル板１０はベッド側面柵１２の柵内に納まる形としているので、円形のベッド柵に納めるとすれば透明なアクリル板１０Ａ（図３）の形でも良い。その他、留め金２４（図１）付のベッド柵に納めるとすれば透明なアクリル板１０Ｂ（図４）、透明なアクリル板１０Ｃ（図５）のように、角部分を切り欠いて使用しても良い。
【００２４】
透明なアクリル板１０を固定するときの取り付け金物１５は、湾曲自在なビニールシートを円柱形状（直径６ｍｍ、長さ５ｃｍ）にカットした円柱部材の両端に半球部材２１（直径１０ｍｍ）を脱落しないように取り付け、形状をＵ字型としている。図６では取り付け金物１５ａが柵１３を挟み、取り付け穴１４（直径８ｍｍ）に対し、押し込みながら半球部材２１を挿入することで透明なアクリル板１０と柵１３を容易に固定している。また、半球部材２１が取り付け穴１４に対して戻り止めとなる。
図７では取り付け金物１５ｂは、Ｕ字ボルトを使用し、取り付け穴１４を介することで透明なアクリル板１０と柵１３を固定するために、化粧ナット２２を使用している。これも、透明なアクリル板１０と柵１３を容易に着脱可能にしている。
また、透明なアクリル板１０と柵１３を容易に着脱可能にするためには、市販のひも、インシュロックを使用しても良い。
【００２５】
さらに透明なアクリル板１０Ｄ（図８）において、空気流通穴２３を複数配置いている。空気流通穴２３の直径は４ｍｍ程度とし、幼児の指が貫通しない大きさとしている。また、配置された空気流通穴２３の数は、多数である方がより望ましい。しかし、子供達の手によって破壊されない強度を保つ範囲とする。
【図面の簡単な説明】
【００２６】
【図１】この発明の実施例１に係る側面柵付ベッド、及び側面柵付ベッドに着脱可能なベッド用保護板の斜視図である。
【図２】この発明の実施例１に係る側面柵付ベッドに着脱可能なベッド用保護板の正面図である。
【図３】この発明の別の実施形態に係る円形の角を持つベッド用保護板の正面図である。
【図４】この発明のさらに別の実施形態に係る角部を切り欠いたベッド用保護板の正面図である。
【図５】この発明のさらにまた別の実施形態に係る円形の角を持つ角部を切り欠いたベッド用保護板の正面図である。
【図６】この発明の実施例１に係る着脱可能な取り付け金物の正面図である。
【図７】この発明の他の実施形態に係る着脱可能な取り付け金物の正面図である。
【図８】この発明のこれとは別の実施形態に係る側面柵付ベッドに着脱可能なベッド用保護板の正面図である。
【符号の説明】
【００２７】
１０，１０Ａ〜１０Ｄ  側面柵付ベッドに着脱可能な透明なアクリル板、
１１  ベッド本体、
１２  ベッド側面柵、
１５  取り付け金物、
２３  空気流通穴。
【図１】
2005261812.tif 000003
【図２】
2005261812.tif 000004
【図３】
2005261812.tif 000005
【図４】
2005261812.tif 000006
【図５】
2005261812.tif 000007
【図６】
2005261812.tif 000008
【図７】
2005261812.tif 000009
【図８】
2005261812.tif 000010